(57)【特許請求の範囲】
【請求項１】
水道水を電気分解することで次亜塩素酸含有水を生成する次亜塩素酸含有水生成部と、
水道水を電気分解することで殺菌性金属イオン含有水を生成する殺菌性金属イオン水生成部と、
前記次亜塩素酸含有水および前記殺菌性金属イオン含有水を、それぞれミスト状にして浴室の洗い場床に吐出する除菌水吐水部と、
前記次亜塩素酸含有水生成部、前記殺菌性金属イオン水生成部および除菌水吐水部の動作を制御する制御部と、
を備え、
前記制御部は、前記次亜塩素酸含有水の粒を吐出する第１工程と、前記殺菌性金属イオン水の粒を吐出する第２工程と、を実行し、
前記第２工程は、前記洗い場床上の前記殺菌性金属イオン含有水が水滴状で維持されるよう、前記洗い場上に前記殺菌性金属イオン含有水を吐出し、
前記第１工程は、前記洗い場床上の前記次亜塩素酸含有水の水滴が前記第２工程における水滴よりも大きくなるまで、前記洗い場床上に前記次亜塩素酸含有水を吐出することを特徴とする浴室洗い場用除菌水吐水装置。
【請求項２】
前記第１工程において前記除菌水吐水部が吐出する所定の洗浄領域における単位面積当たりの前記次亜塩素酸含有水の流量は、前記第２工程において前記除菌水吐水部が吐出する前記所定の洗浄領域における単位面積当たりの前記殺菌性金属イオン含有水の流量と等しく、
前記第１工程において前記洗い場床の単位面積に前記次亜塩素酸含有水が吐出される時間は、前記第２工程において前記洗い場床の単位面積に前記殺菌性金属イオン含有水が吐出される時間よりも長いことを特徴とする請求項１記載の浴室洗い場用除菌水吐水装置。
【請求項３】
前記第２工程が実行される回数は、前記第１工程が実行される回数よりも多いことを特徴とする請求項１または２に記載の浴室洗い場用除菌水吐水装置。
【請求項４】
前記洗い場床と、
浴槽と、
前記洗い場床の上方に配設されたカウンタと、
前記カウンタの下方に設けられ、前記洗い場床の略全体に向けて前記除菌水を吐水可能な請求項１〜３のいずれか１つに記載の浴室洗い場用除菌水吐水装置と、
を備えたことを特徴とする浴室ユニット。
【発明の詳細な説明】
【技術分野】
【０００１】
本発明の態様は、一般的に、浴室洗い場用除菌水吐水装置及び浴室ユニットに関する。
【背景技術】
【０００２】
例えば、浴室の洗い場床には、人体の洗浄に使用された石鹸やシャンプーなどのかす、人体から発生したアカ（タンパク質系、炭水化物系、油脂系、塩類等）などの汚れが付着する。このような汚れに起因した菌を除菌するための洗浄装置が提案されている。特許文献１には、浴室の洗い場床に次亜塩素酸を含有する水などの除菌水を吐出する構成が開示されている。
【０００３】
また、除菌水が滞留しにくく多くの汚れが付着した洗い場床を、少量且つ低濃度（人体への影響を抑えた濃度）の除菌水で除菌するためには、除菌水として、次亜塩素酸を含む水と殺菌性金属イオンを含む水とを用いることが好ましい。例えば、供給水に殺菌性金属イオンを添加する殺菌性金属添加ユニットと、供給水に次亜塩素酸を添加する次亜塩素酸添加ユニットと、を備えた機能水生成装置がある（特許文献２）。
【先行技術文献】
【特許文献】
【０００４】
【特許文献１】特開２００８−１６８２３０号公報
【特許文献２】特開２００１−２５２６７４号公報
【発明の概要】
【発明が解決しようとする課題】
【０００５】
浴室の洗い場床の全体に多量の除菌水を吐出すれば床面全体をムラなく除菌できると考えられる。しかし、一般的な浴室の洗い場床は排水勾配を有するため、多量の除菌水を吐出した場合、洗い場床に到達した除菌水は、水膜となって流れやすい。このため、除菌水が十分な除菌効果を発揮する前に排水口へと流れてしまうことがある。この場合、洗い場床全体をムラ無く除菌するためには、大量の除菌水が必要となってしまう。
【０００６】
そこで、少量の除菌水で洗い場床の全体の除菌を行うために、除菌水が洗い場床上に滞留しやすい形態で吐水を行うことが考えられる。これにより、除菌水が洗い場床の菌に作用する時間を長くすることができる。例えば、少量の除菌水で洗い場床の除菌を行うためには、粒径の小さい粒状（ミスト状）の除菌水を吐出することが適している。
【０００７】
しかしながら、除菌水として次亜塩素酸を含んだ水を使用する場合、この除菌水中の次亜塩素酸の濃度は時間の経過と共に減衰しやすく、この濃度減衰は吐出される除菌水の粒径が小さくなるほど顕著になるという問題がある。
【０００８】
本発明は、かかる課題の認識に基づいてなされたものであり、少量の次亜塩素酸含有水及び少量の殺菌性金属イオン含有水で洗い場床を効率的に除菌することができる浴室洗い場用除菌水吐水装置及び浴室ユニットを提供することを目的とする。
【課題を解決するための手段】
【０００９】
第１の発明は、水道水を電気分解することで次亜塩素酸含有水を生成する次亜塩素酸含有水生成部と、水道水を電気分解することで殺菌性金属イオン含有水を生成する殺菌性金属イオン水生成部と、前記次亜塩素酸含有水および前記殺菌性金属イオン含有水を、それぞれミスト状にして浴室の洗い場床に吐出する除菌水吐水部と、前記次亜塩素酸含有水生成部、前記殺菌性金属イオン水生成部および除菌水吐水部の動作を制御する制御部と、を備え、前記制御部は、前記次亜塩素酸含有水の粒を吐出する第１工程と、前記殺菌性金属イオン水の粒を吐出する第２工程と、を実行し、前記第２工程は、前記洗い場床上の前記殺菌性金属イオン含有水が水滴状で維持されるよう、前記洗い場上に前記殺菌性金属イオン含有水を吐出し、前記第１工程は、前記洗い場床上の前記次亜塩素酸含有水の水滴が前記第２工程における水滴よりも大きくなるまで、前記洗い場床上に前記次亜塩素酸含有水を吐出することを特徴とする浴室洗い場用除菌水吐水装置である。
【００１０】
この浴室洗い場用除菌水吐水装置によれば、除菌水（次亜塩素酸含有水および殺菌性金属イオン含有水）は、粒状（ミスト状）で吐出される。このため、除菌水を粒の状態で洗い場床（洗浄領域）に付着させることができる。これにより、除菌水を一時的に洗い場床に滞留させることができ、床全体を除菌するために必要な除菌水の量を抑えることができる。  
ここで、次亜塩素酸含有水の粒中の次亜塩素酸の濃度は、時間の経過と共に減衰していく性質を有する。そして、この次亜塩素酸の濃度減衰は、吐出された除菌水の粒径が小さくなる程顕著となる。このため、洗い場床に付着した除菌水が粒状のままである場合、除菌水が洗い場床の菌に十分に作用する前に、次亜塩素酸の濃度が減衰してしまい、十分な除菌効果が得られない場合がある。  
これに対して、この浴室洗い場用除菌水吐水装置によれば、第１工程中に形成される次亜塩素酸含有水の水滴は、第２工程中に形成される殺菌性金属イオン含有水の水滴よりも大きい。次亜塩素酸含有水の水滴を大きくすることによって、次亜塩素酸の濃度減衰を抑制することができる。これにより、滞留性を確保しつつ、次亜塩素酸の濃度減衰を抑制することができる。また、殺菌性金属イオン含有水中の殺菌性金属イオンの濃度は、前述の次亜塩素酸含有水の濃度に比べて減衰しにくい。このため、殺菌性金属イオン含有水については、その水滴を小さくすることで、高い濃度と高い滞留性とを維持することができる。以上により、少量の除菌水（次亜塩素酸含有水および殺菌性金属イオン含有水）で浴室の洗い場床を効率的に除菌することができる。
【００１１】
第２の発明は、第１の発明において、前記第１工程において前記除菌水吐水部が吐出する所定の洗浄領域における単位面積当たりの前記次亜塩素酸含有水の流量は、前記第２工程において前記除菌水吐水部が吐出する前記所定の洗浄領域における単位面積当たりの前記殺菌性金属イオン含有水の流量と等しく、前記第１工程において前記洗い場床の単位面積に前記次亜塩素酸含有水が吐出される時間は、前記第２工程において前記洗い場床の単位面積に前記殺菌性金属イオン含有水が吐出される時間よりも長いことを特徴とする浴室洗い場用除菌水吐水装置である。
【００１２】
この浴室洗い場用除菌水吐水装置によれば、制御部は、第１工程における単位時間当たりの吐水流量と、第２工程における単位時間当たりの吐水流量とが等しく、第１工程における単位面積当たりの吐水時間は、第２工程における単位面積あたりの吐水時間よりも長くなるように、制御を実行する。これにより、第１工程では、次亜塩素酸含有水を大きな水滴とすることができ、第２工程では、殺菌性金属イオン含有水を小さな水滴とすることができる。第１工程において次亜塩素酸含有水の滞留性の向上と濃度減衰の抑制とを両立しつつ、第２工程において殺菌性金属イオン含有水の高い滞留性を得ることができる。これにより、少量の除菌水（次亜塩素酸含有水および殺菌性金属イオン含有水）で浴室の洗い場床を効率的に除菌することができる。
【００１３】
第３の発明は、第１または第２の発明において、前記第２工程が実行される回数は、前記第１工程が実行される回数よりも多いことを特徴とする浴室洗い場用除菌水吐水装置である。
【００１４】
この浴室洗い場用除菌水吐水装置によれば、殺菌性金属イオン含有水が吐出される回数が多いため、殺菌性金属イオン含有水の総吐水量が少なくても、吐水ムラを抑制することができる。したがって、少ない吐水量で効率的に除菌を行うことができる。
【００１５】
第４の発明は、前記洗い場床と、浴槽と、前記洗い場床の上方に配設されたカウンタと、前記カウンタの下方に設けられ、前記洗い場床の略全体に向けて前記除菌水を吐水可能な第１〜第３のいずれか１つの発明に記載の浴室洗い場用除菌水吐水装置と、を備えたことを特徴とする浴室ユニットである。
【００１６】
この浴室ユニットによれば、少量の次亜塩素酸含有水及び少量の殺菌性金属イオン含有水で洗い場床を効率的に除菌することができる。
【発明の効果】
【００１７】
本発明の態様によれば、少量の次亜塩素酸含有水及び少量の殺菌性金属イオン含有水で洗い場床を効率的に除菌することができる浴室洗い場用除菌水吐水装置及び浴室ユニットが提供される。
【図面の簡単な説明】
【００１８】
【図１】実施形態の浴室洗い場用除菌水吐水装置の構成を例示するブロック図である。
【図２】実施形態の浴室洗い場用除菌水吐水装置が設置される浴室ユニットを例示する模式的斜視図である。
【図３】実施形態の次亜塩素酸含有水生成部の具体例を表す模式的断面図である。
【図４】実施形態の殺菌性金属イオン水生成部の具体例を表す模式的断面図である。
【図５】次亜塩素酸含有水および殺菌性金属イオン含有水の作用を表す模式的断面図である。
【図６】次亜塩素酸含有水の作用を表す模式的断面図である。
【図７】殺菌性金属イオン含有水の作用を表す模式的断面図である。
【図８】実施形態の除菌水の吐水動作を説明する模式的平面図である。
【図９】実施形態の除菌水が吐出された洗い場床を例示する模式的平面図である。
【図１０】次亜塩素酸含有水による洗浄を例示するグラフ図である。
【図１１】実施形態の除菌水による洗浄工程を例示するフローチャートである。
【図１２】実施形態の第１工程による洗浄を例示する模式図である。
【図１３】実施形態の第２工程による洗浄を例示する模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施形態の浴室洗い場用除菌水吐水装置１００の構成を例示するブロック図である。
【００２０】
実施形態の浴室洗い場用除菌水吐水装置（以下、説明の便宜上、単に「除菌水吐水装置」と称する）１００は、除菌水吐水部１０と、次亜塩素酸含有水生成部１２０と、殺菌性金属イオン水生成部１３０と、制御部３０と、を備える。除菌水吐水装置１００は、浴室に設置され、浴室の洗い場床を除菌する装置である。
【００２１】
以下の説明において、「除菌水」とは、次亜塩素酸を含む水（「次亜塩素酸含有水」と称する）および殺菌性金属イオンを含む水（「殺菌性金属イオン含有水」と称する）の少なくともいずれかをいうものとする。
【００２２】
まず、図２（ａ）および図２（ｂ）を参照して、実施形態の除菌水吐水装置１００が設置される浴室（浴室ユニット）について説明する。  
図２（ａ）は、浴室５００の模式的斜視図である。  
図２（ｂ）は、浴室５００におけるカウンタ５３０の近傍を拡大した模式的斜視図である。
【００２３】
図２（ａ）に表したように、浴室５００は、第１〜第４の壁５４１〜５４４と天井５４５に囲まれている。その浴室５００は、浴槽５１０、洗い場床５２０、およびカウンタ５３０を有する。さらに、浴室５００には、鏡、給水栓、シャワーホースなどが適宜設けられている。
【００２４】
浴槽５１０の短辺側に、第１の壁５４１と第２の壁５４２が対向して設けられている。浴槽５１０の長辺側に第４の壁５４４が設けられている。第４の壁５４４に対向して、洗い場床５２０側に第３の壁５４３が設けられている。
【００２５】
洗い場床５２０には、排水口５２１が設けられている。図２に示す例では、排水口５２１は、洗い場床５２０の浴槽５１０側の縁部における、第１の壁５４１と第２の壁５４２とを結ぶ方向の中央付近に設けられている。
【００２６】
洗い場床５２０の床面には、第１の壁５４１側の縁部、第２の壁５４２側の縁部、および第３の壁５４３側の縁部から、排水口５２１へ向かう緩やかな下り傾斜が、排水勾配として設けられている。
【００２７】
カウンタ５３０、鏡、給水栓およびシャワーホースは、例えば、第２の壁５４２に取り付けられている。
【００２８】
カウンタ５３０は、洗い場床５２０の床面から上方に離間して設置されている。カウンタ５３０は、上方から見たときに、横方向に長い略矩形状の形状を有する。カウンタ５３０の横方向における幅は、洗い場床５２０の横方向における幅と同等である。
【００２９】
除菌水吐水装置１００の少なくとも一部は、カウンタ５３０の下方に設けられる。図２（ｂ）の例では、除菌水吐水装置１００の除菌水吐水部１０が、カウンタ５３０の下部に設けられている。除菌水吐水部１０は、洗い場床５２０から離間した位置に配置されている。除菌水吐水部１０は、例えば、カウンタ５３０の長手方向における中央付近に設置されている。すなわち、除菌水吐水部１０は、洗い場床５２０の短辺方向（第４の壁５４４と第３の壁５４３とを結ぶ方向）における中央付近に設置されている。これにより、除菌水を洗い場床５２０の全体に吐出しやすくなる。
【００３０】
カウンタ５３０は、天板５３１と、前カバー５３２と、下カバー５３３（図１に示す）と、を有する。
【００３１】
図１は、カウンタ５３０を側方から見た様子を表している。例えば、除菌水吐水部１０は、下カバー５３３から下方に突出するように設けられている。
【００３２】
浴室５００の外部には、給水管５１と、給湯管５２と、が設けられている。給水管５１は、図示しない水道管と接続されている。給水管５１から水道水が除菌水吐水装置１００に供給される。
【００３３】
図１に示すように、カウンタ５３０における天板５３１と前カバー５３２と下カバー５３３の内側には、止水栓５３と、電磁弁５４と、調圧弁５５と、逆止弁５６と、次亜塩素酸含有水生成部１２０と、負圧破壊装置１２１（バキュームブレーカ）と、殺菌性金属イオン水生成部１３０と、モータ１７と、制御部３０と、が設けられている。
【００３４】
止水栓５３は、給水管５１と接続されている。給水管５１と除菌水吐水部１０との間の流路において、上流側から順に、止水栓５３、電磁弁５４、調圧弁５５、逆止弁５６、次亜塩素酸含有水生成部１２０、負圧破壊装置１２１、及び殺菌性金属イオン水生成部１３０が接続されている。
【００３５】
なお、止水栓５３、電磁弁５４、調圧弁５５、逆止弁５６、次亜塩素酸含有水生成部１２０、負圧破壊装置１２１、殺菌性金属イオン水生成部１３０、モータ１７、および制御部３０の少なくとも一部は、カウンタ５３０の外部または浴室５００の外部に設けられていてもよい。例えば、図２（ａ）に表したように、制御部３０を浴室５００の外部に設けてもよい。また、この例では殺菌性金属イオン水生成部１３０と次亜塩素酸含有水生成部１２０との接続は、直列接続であるが、並列接続でもよい。
【００３６】
止水栓５３および電磁弁５４の開閉によって、下流側への水道水の供給／遮断が制御される。制御部３０からの信号を受け、電磁弁５４は、水道水の流路を開く動作、または、水道水の流路を閉じる動作を行う。
【００３７】
調圧弁５５は、供給された水道水の圧力を制御する。これにより、次亜塩素酸含有水生成部１２０及び殺菌性金属イオン水生成部１３０に供給される水道水の流量を調整することができる。次亜塩素酸含有水生成部１２０及び殺菌性金属イオン水生成部１３０に供給される水道水の流量を調整することで、除菌水吐水部１０に供給される除菌水の流量が調整される。なお、電磁弁５４を用いて、流量を調整してもよい。
【００３８】
次亜塩素酸含有水生成部１２０は、供給された水（水道水）から、次亜塩素酸を含む水を生成する。  
図３は、実施形態の次亜塩素酸含有水生成部の具体例を表す模式的断面図である。  
例えば、次亜塩素酸含有水生成部１２０は、陽極２１と陰極２３とを有する電解槽である。次亜塩素酸含有水生成部１２０は、陽極２１と陰極２３との間に電圧を印加して、陽極２１と陰極２３との間を流れる水道水を電気分解する。これにより、次亜塩素酸含有水生成部１２０は、水道水を変性して次亜塩素酸含有水を生成する。
【００３９】
水道水は、塩化物イオンを含んでいるため、その塩化物イオンを電気分解することによって、次亜塩素酸が生成される。その結果、電気分解された水は、次亜塩素酸を含む液に変化する。本願明細書において、「次亜塩素酸を含む水（次亜塩素酸含有水）」は、次亜塩素酸（ＨＣｌＯ）及び次亜塩素酸イオン（ＣｌＯ−）の少なくともいずれかを含む。
【００４０】
図１に戻って説明すると、負圧破壊装置１２１は、次亜塩素酸含有水生成部１２０の下流に設けられている。負圧破壊装置１２１は、負圧が流路１５１に発生した場合などに、例えば、殺菌性金属イオン含有水が殺菌性金属イオン水生成部１３０から給水管５１へ向かって逆流することを防止する。あるいは、負圧破壊装置１２１は、流路１５１の水抜きの際に外部から空気を取り込み、流路１５１の水抜きを促進する。
【００４１】
殺菌性金属イオン水生成部１３０は、供給された水（水道水）から、殺菌性金属イオンを含む水を生成する。  
図４は、実施形態の殺菌性金属イオン水生成部の具体例を表す模式的断面図である。  
本具体例の殺菌性金属イオン水生成部１３０は、一対の電極１３１、１３３を有し、制御部３０から出力された通電の制御信号により、一対の電極１３１、１３３の間を流れる水を電気分解することができる。一対の電極１３１、１３３のいずれか一方は、陽極（アノード）となり、一対の電極１３１、１３３のいずれか他方は、陰極（カソード）となる。陽極となる電極は、銀（Ａｇ）または銀を含有する金属からなる。なお、一般的には、一対の電極１３１、１３３の両方を銀により形成し、印加電圧の極性を適宜反転させることが望ましい。
【００４２】
一対の電極１３１、１３３の間に電圧が供給されると、陽極側の電極（図４では、電極１３１）から銀イオンが放出される。放出された銀イオンは、水の流れＷ１にのって下流側へ流れる水に流入する。これにより、殺菌性金属イオン水生成部１３０において通電された水は、殺菌性金属イオンを含む水（殺菌性金属イオン含有水）に変化する。殺菌性金属イオンを含む水は、例えば、殺菌作用や除菌作用などを発揮する。
【００４３】
なお、本実施形態の殺菌性金属イオン水生成部１３０において、陽極側の電極１３１から放出される金属イオンは、銀イオンには限定されない。陽極側の電極１３１から放出される金属イオンは、例えば、銅イオンあるいは亜鉛イオンであってもよい。以下の説明では、陽極側の電極１３１から放出される金属イオンが銀イオンである場合を例に挙げる。また、次亜塩素酸含有水生成部１２０及び殺菌性金属イオン水生成部１３０は、電解槽に限定されるわけではない。供給される水道水の流量を変化させることで、除菌水に含まれる成分の濃度を制御することができる。
【００４４】
生成された除菌水（次亜塩素酸含有水及び殺菌性金属イオン含有水）は、除菌水吐水部１０に供給され、除菌水吐水部１０から洗い場床５２０上に吐出される。この除菌水により、洗い場床５２０は除菌される。
【００４５】
除菌水吐水部１０は、ノズルを有する。図１に示すように、この例では、除菌水吐水部１０には、第１のノズル１１、第２のノズル１２及び貯水部１３が設けられている。貯水部１３は、例えば円筒状であり、その内部の空間に除菌水を一時的に溜めることができる。第１のノズル１１および第２のノズル１２は、貯水部１３の側面に設けられている。各ノズルは、ノズルの先端に設けられた吐水口を有し、この吐水口は、貯水部１３に溜められた除菌水をミスト状（霧状）の粒にして、洗い場床５２０に吐出する。
【００４６】
なお、ミスト状の粒とは、洗い場床５２０に付着したときに、排水勾配に対して自重によって洗い場床５２０上に留まることができる程度の径を有する水粒をいう。排水勾配は、例えば、１°以上３°以下程度である。ミスト状の粒は、洗い場床に独立して付着する。ミスト状の粒の径は、例えば２００マイクロメートル（μｍ）以上５００μｍ以下程度である。なお、本願明細書において、水粒または水滴の径として、ザウター（Sauter）平均粒子径（＝総粒子体積／総粒子表面積）を用いている。
【００４７】
第１のノズル１１は、第２のノズル１２よりも鉛直方向の上方に設けられている。第２のノズル１２は水平方向よりも下向きに傾いており、第１のノズル１１は水平方向よりも上向きに傾いている。例えば、第１のノズル１１は、洗い場床５２０のうち除菌水吐水部１０から遠い範囲を受け持つ遠方用ノズルであり、第２のノズル１２は、洗い場床５２０のうち除菌水吐水部１０から近い範囲を受け持つ近傍用ノズルである。また、上から見たときに、第２のノズル１２から除菌水が吐出される方向は、第１のノズル１１から除菌水が吐出される方向に沿っている。
【００４８】
なお、実施形態の除菌水吐水部１０の構成は、上記に限られるものではない。例えば、ノズルの数や水平方向に対するノズルの角度等を適宜変更してもよい。実施形態においては、除菌水吐水部１０は、除菌水をミスト状にして洗い場床５２０上に吐出することができればよい。
【００４９】
除菌水吐水部１０は、例えばモータ１７により、回転動作またはスライド動作可能である。モータ１７は例えばステッピングモータであり、後述するように、そのモータ１７によって、除菌水吐水部１０を回転軸（例えば鉛直軸）まわりに回転させ、除菌水が吐出される方向を変化させることができる。第１のノズル１１及び第２のノズル１２は、一体となって回転可能である。
【００５０】
制御部３０は、電磁弁５４、次亜塩素酸含有水生成部１２０、殺菌性金属イオン水生成部１３０、およびモータ１７と電気的に接続されている。制御部３０は、電磁弁５４、次亜塩素酸含有水生成部１２０、殺菌性金属イオン水生成部１３０、およびモータ１７の動作を制御することで、除菌水が吐出される形態（吐水方法、撒き方）を制御することができる。
【００５１】
例えば、電磁弁５４は、制御部３０からの信号に基づいて、水道水の流路の開閉を行う。これにより、下流側に供給される水道水の流量が制御される。また、次亜塩素酸含有水生成部１２０及び殺菌性金属イオン水生成部１３０は、制御部３０からの信号に基づいて、電解槽のＯＮ／ＯＦＦを切り替える。制御部３０からモータ１７に送信される信号に基づいて、除菌水吐水部１０は、回転角度や回転速度を変化させる。このようにして制御部３０は、除菌水の濃度、吐出される除菌水の瞬間流量、吐出される除菌水の総量、除菌水吐水部１０の動作、および除菌水の吐出方向などを制御することができる。
【００５２】
図２（ａ）に表したように、制御部３０と電気的に接続された操作部３５が、浴室５００の内側または浴室５００の外側に設けられている。除菌水吐水装置１００の使用者は、この操作部３５を用いて、除菌水吐水装置１００の動作を操作することができる。
【００５３】
実施形態に係る除菌水吐水装置１００では、制御部３０は、次亜塩素酸含有水の粒を吐出する第１工程と、殺菌性金属イオン含有水の粒を吐出する第２工程と、を実行する。  
第１工程においては、次亜塩素酸含有水生成部１２０をＯＮ、殺菌性金属イオン水生成部１３０をＯＦＦとして、除菌水吐水部１０（ノズル１１、１２）から次亜塩素酸含有水を吐出する。第２工程においては、次亜塩素酸含有水生成部１２０をＯＦＦ、殺菌性金属イオン水生成部１３０をＯＮとして、除菌水吐水部１０（ノズル１１、１２）から殺菌性金属イオン含有水を吐出する。なお、除菌水吐水部１０は、次亜塩素酸含有水を吐出するノズルと、殺菌性金属イオン生成部を吐出するノズルと、が、異なる構成であってもよい。
【００５４】
このように、除菌水として、次亜塩素酸含有水と殺菌性金属イオン含有水とを用いることで、効率良く除菌を行うことができる。これに関し、図５〜図７を参照して、除菌水の性質について説明する。
【００５５】
図５は、次亜塩素酸を含む水および殺菌性金属イオンを含む水の作用を表す模式的断面図である。  
図６は、次亜塩素酸を含む水の作用を表す模式的断面図である。  
図７は、殺菌性金属イオンを含む水の作用を表す模式的断面図である。
【００５６】
図５〜図７に表したように、基材（対象物）２０１の表面２０１ａに汚れ２０３が付着した状態について説明する。基材２０１としては、例えば浴室の洗い場床などが挙げられる。汚れ２０３としては、例えば皮脂やタンパク質などが挙げられる。汚れ２０３には、菌２１０が含まれている。菌２１０は、核（ＤＮＡ）２１１と、細胞質２１３と、細胞膜２１５と、を有する。
【００５７】
図６に表したように、次亜塩素酸含有水は、即効性を有し、菌２１０の細胞膜２１５を短時間で破壊することができる。一方で、次亜塩素酸を含む水は、汚れ２０３と極めて反応しやすい。そのため、次亜塩素酸を含む水が菌２１０の核２１１を攻撃する前に汚れ２０３と反応することで、次亜塩素酸の濃度は低下する。
【００５８】
これに対して、図７に表したように、殺菌性金属イオン含有水の即効性は、次亜塩素酸含有水の即効性よりも低い。そのため、殺菌性金属イオン含有水は、菌２１０の細胞膜２１５を短時間で破壊することはできない。一方で、殺菌性金属イオン含有水は、次亜塩素酸含有水と比較すると汚れ２０３とは反応しにくく、細胞膜２１５を通って細胞質２１３へ進入し核２１１の細胞分裂を抑える。そのため、殺菌性金属イオンの濃度は、長時間にわたって持続する。
【００５９】
このように、次亜塩素酸含有水と、殺菌性金属イオン含有水と、は、互いに短所を補完し合う関係にある。そのため、図５に表したように、次亜塩素酸含有水は、菌２１０の細胞膜２１５を短時間で破壊し、殺菌性金属イオン含有水は、次亜塩素酸含有水によって破壊された細胞膜２１５から菌２１０の内部へ進入し、濃度が持続した状態で菌２１０の核２１１を長時間にわたって攻撃することができる。
【００６０】
次に、図８（ａ）〜図９（ｅ）を参照して、実施形態の除菌水の吐水動作について説明する。  
図８（ａ）及び図８（ｂ）は、洗い場床５２０を上から眺めた模式的平面図である。図８（ａ）に示すように、上から見て、洗い場床５２０は４つの縁部５２０ａ〜５２０ｄをもつ矩形状である。排水口５２１は縁部５２０ｄ側に設けられている。その縁部５２０ｄと、これに対向する縁部５２０ａは、洗い場床５２０の長手方向に延在している。カウンタ５３０および除菌水吐水部１０は、縁部５２０ｂ側に設けられている。その縁部５２０ｂと、これに対向する縁部５２０ｃは、洗い場床５２０の短手方向に延在している。
【００６１】
洗い場床５２０の床面には、縁部５２０ａ、縁部５２０ｂ、および縁部５２０ｃから排水口５２１に向かって下り傾斜した排水勾配がつけられている。図８（ａ）において、矢印終点（アローヘッド）側が勾配の低い側である。
【００６２】
図８（ｂ）に示すように、除菌水は、ノズル（除菌水吐水部１０）から例えば吐水方向Ａに向けて吐出される。ノズルから吐出された除菌水は、例えば円錐状の広がりをもつ。図８（ｂ）の上面視（鉛直方向に沿って見たとき）においては、除菌水は扇または三角形状の広がり２０１をもって霧（ミスト）状に吐出されている。この例では、その広がりの中心角を二等分する方向として吐水方向を定義している。
【００６３】
このように、ある状態（吐水方向が一定の状態）において、ノズルは、洗い場床５２０の一部に除菌水を吐出する。ノズルの吐水口の開口径を小さくすると、遠方まで除菌水を吐出できるようになるが、吐出される範囲が狭くなってしまう。
【００６４】
ここで、既に述べたとおり、制御部３０によってモータ１７が駆動され、ノズルは、回転軸１０ａを中心として回転することができる。ノズルの回転によって吐水方向を変化させることができる。このように、制御部３０は、ノズルを動かして、除菌水が吐出される洗浄領域を変更する制御を実行する。これにより、洗い場床５２０の略全面に除菌水を撒くことができる。なお、ノズルは、カウンタ５３０の長手方向に沿って往復移動する構成でもよい。
【００６５】
図９（ａ）〜図９（ｅ）は、除菌水が吐出された洗い場床を例示する模式的平面図である。  
これらは、洗い場床５２０の一部（領域Ｒ）を拡大して示す。領域Ｒは、ある方向にノズルが吐水しているときの洗浄領域（除菌水が撒かれる領域）の一部である。例えば、図８（ｂ）に示したように、領域Ｒは、ノズルが吐水方向Ｂに向けて除菌水を吐出している状態の洗浄領域ＲＢに含まれる一部である。
【００６６】
図９（ａ）に示すように、洗い場床５２０の表面には、凸部５５１と溝５５２（凹部）が形成されている。凸部５５１は滑り止めの機能を担う。洗い場床５２０に付着した水滴は、溝５５２に流れ込み、排水口まで流れる。
【００６７】
例えば、洗い場床５２０の平均高さ（排水勾配に起因する成分を除いて、凹凸を平均した高さ）よりも低い部分を溝（凹部）、高い部分を凸部とみなすことができる。溝５５２の深さは、例えば、０．５ミリメートル（ｍｍ）以上１ｍｍ以下程度である。例えば、溝５５２の幅は、０．６ｍｍ以上１．５ｍｍ以下程度である。例えば、上面視における、単位面積あたりの溝の面積の割合は、８０％以上９０％以下程度である。  
なお、溝５５２の深さとは、凸部５５１の最も高い位置と、溝５５２の最も低い位置との差である。また、洗い場床５２０には、高さが互いに異なる複数の種類の凸部や、深さが互いに異なる複数の種類の溝が設けられていてもよい。溝５５２のサイズ（凸部のサイズ）は、上記に限られない。溝５５２の形状やパターンは、図示したものに限られず、例えば溝５５２は、直線状でなく曲線状のパターンを有していてもよいし、凸部５５１の幅に比べて広い幅を有していてもよい。
【００６８】
図９（ａ）〜図９（ｃ）は、次亜塩素酸含有水が吐出される第１工程を例示する。図９（ｄ）及び図９（ｅ）は、殺菌性金属イオン含有水が吐出される第２工程を例示する。
【００６９】
図９（ａ）は、第１工程において、領域Ｒへ次亜塩素酸含有水が吐出され始めた状態を示す。前述の通りノズルから次亜塩素酸含有水がミスト状で吐出されるため、洗い場床５２０上に径が小さい次亜塩素酸含有水の粒１５が付着する。
【００７０】
実施形態に係る除菌水吐水装置１００は、このような径の小さいミスト状の除菌水を領域Ｒに重ねて撒く。  
図９（ｂ）は、図９（ａ）の状態から更に次亜塩素酸含有水が吐出された状態を示し、図９（ｃ）は、図９（ｂ）の状態から更に次亜塩素酸含有水が吐出された状態を示す。このようにミスト状の次亜塩素酸含有水が、ある領域に連続して（重ねて）撒かれることによって、複数の粒１５同士が連結し、次亜塩素酸含有水の水滴１６が形成される。その後、吐出された次亜塩素酸含有水は、溝５５２に流れ込む。
【００７１】
除菌水吐水装置１００は、領域Ｒ上において粒１５が連結する程度に次亜塩素酸含有水を吐出すると、ノズルの回転により吐水方向を変化させることによって、領域Ｒへの次亜塩素酸含有水の吐出を停止し、領域Ｒの周辺へ次亜塩素酸含有水を吐出する。つまり、第１工程において、一部の洗浄領域に付着した次亜塩素酸含有水の粒が連結して、適切な大きさの水滴となるまで、この領域に次亜塩素酸含有水が吐出され、水滴の大きさが適切になった後は、別の領域に次亜塩素酸含有水が吐出される。
【００７２】
例えば、第１工程において、ある洗浄領域の溝５５２における次亜塩素酸含有水の水滴の占有率Ｒｏ１が８０％以上となるまで、この洗浄領域に次亜塩素酸含有水が吐出される。上面視において、当該洗浄領域中の溝の面積をＡ１、当該洗浄領域中の溝のうち次亜塩素酸含有水が付着している面積をＡ２とすると、占有率Ｒｏ１は、Ｒｏ１（％）＝Ａ２／Ａ１×１００、によって算出される。なお、占有率Ｒｏ１の算出で用いられる洗浄領域は、ある１つの吐水方向において、除菌水が撒かれる領域又はその一部である。例えば、占有率Ｒｏ１は、５ｃｍ×５ｃｍ程度以上の領域について算出できる。
【００７３】
または、第１工程において、ある洗浄領域における次亜塩素酸含有水の水滴が、その自重によって排水勾配に沿って流れる程度に大きくなるまで、この洗浄領域に次亜塩素酸含有水が吐出される。
【００７４】
ノズルから遠い位置には除菌水が届きにくいことを考慮すると、カウンタから最も遠い縁部５２０ｃ近傍（例えば図８（ｂ）に示した領域Ｒ）を含む領域においても、占有率Ｒｏ１が８０％以上となるように、ノズルの動作が制御される。なお、一部の領域に除菌水が吐出され始めてから、この領域への除菌水の吐出が停止されるまでの間において、ノズルは、動き（回転）を停止していてもよいし、緩やかに動いていてもよい。
【００７５】
例えば、第１工程で吐出された次亜塩素酸含有水の排水後に、第２工程が実行される。図９（ｄ）は、第２工程において、領域Ｒへ殺菌性金属イオン含有水が吐出され始めた状態を示す。殺菌性金属イオン含有水もミスト状で吐出されるため、洗い場床５２０上に径が小さい殺菌性金属イオン含有水の粒２５が付着する。
【００７６】
図９（ｅ）は、図９（ｄ）の状態から更に殺菌性金属イオン含有水が吐出された状態を示す。ミスト状の殺菌性金属イオン含有水が、ある領域に連続して（重ねて）撒かれ、殺菌性金属イオン含有水の水滴２６が形成される。
【００７７】
除菌水吐水装置１００は、領域Ｒ上に形成された殺菌性金属イオン含有水の水滴２６（粒２５）が連結して大きな水滴とならないうちに、ノズルの回転によって吐水方向を変化させ、領域Ｒへの殺菌性金属イオン含有水の吐出を停止する。そして、領域Ｒの周辺領域に殺菌性金属イオン含有水が吐出される。言い換えると、第２工程は、洗い場床上の殺菌性金属イオン含有水が水滴状で維持されるように、洗い場床上に殺菌性金属イオン水を吐出する。水滴状で維持される状態とは、例えば殺菌性金属イオン含有水の水滴が、その自重によって排水勾配に沿って流れない状態である。例えば、第２工程における殺菌性金属イオン含有水の水滴についての前述の占有率Ｒｏ１は、少なくとも８０％未満である。ノズルから吐出された殺菌性金属イオン含有水の粒２５同士は、第２工程中に、ほとんど連結されなくてもよい。また、第２工程中においても、一部の領域に除菌水が吐出され始めてから、この領域への除菌水の吐出が停止されるまでの間において、ノズルは、動き（回転）を停止していてもよいし、緩やかに動いていてもよい。
【００７８】
このように、実施形態においては、図９（ｃ）に示す水滴は、図９（ｅ）に示す水滴よりも大きい。すなわち、第１工程によって洗い場床５２０上で形成される次亜塩素酸含有水の水滴１６は、第２工程によって洗い場床５２０上で形成される殺菌性金属イオン含有水の水滴２６よりも大きい。
【００７９】
ある洗浄領域（例えば領域Ｒ）に対して、次亜塩素酸含有水は、殺菌性金属イオン含有水よりも、より連続して撒かれる。例えば、ある洗浄領域に対して、第１工程において連続して吐出される次亜塩素酸含有水の量は、第２工程において連続して吐出される殺菌性金属イオン含有水の量よりも多い。
【００８０】
例えば、第１工程において除菌水吐水部１０が吐出する所定の洗浄領域（洗浄領域Ｒ）における単位面積当たりの次亜塩素酸含有水の流量（Ｌ／ｍｉｎ）は、第２工程において除菌水吐水部１０が吐出する洗浄領域Ｒにおける単位面積当たりの殺菌性金属イオン含有水の量（Ｌ／ｍｉｎ）と等しい。  
そして、第１工程における単位面積当たりの吐水時間（Ｔｓ１／Ａｓ）は、第２工程における単位面積あたりの吐水時間（Ｔｓ２／Ａｓ）よりも長い。なお、ここで、第１工程及び第２工程のそれぞれにおいて、洗浄領域Ｒｓに除菌水が吐出され、Ａｓは、洗浄領域Ｒｓの面積（平方メートル）である。また、Ｔｓ１は、その第１工程の長さ（秒）であり、Ｔｓ２は、その第２工程の長さ（秒）である。
【００８１】
以上のような第１工程及び第２工程によって、少ない量の除菌水で、より効率的に除菌を行うことができる。  
例えば、洗い場床上の水滴は、その径が小さい程滞留性が高い。水滴の径が大きくなり過ぎると、水滴は、水膜を形成する。すると、除菌水は洗い場床の排水勾配によって排水口へ流れ易くなる。これに対して、実施形態においては、洗い場床にミスト状の除菌水（次亜塩素酸含有水及び殺菌性金属イオン含有水）を吐出する。このようなミスト状の除菌水は、洗い場床上に小さな粒として到達するため、洗い場床上に滞留しやすい。滞留性の高い形態で除菌水を吐出することによって、除菌水が洗い場床上の菌に作用する時間を確保することができる。また、菌に作用する前に排水口に流れて無駄となってしまう除菌水の量を抑制することができる。したがって、洗い場床全体を除菌するために必要な除菌水の量を抑えることができる。
【００８２】
次亜塩素酸含有水の粒中の次亜塩素酸の濃度は、時間の経過と共に減衰していく性質を有する。そして、この次亜塩素酸の濃度減衰は、吐出された次亜塩素酸含有水の粒径が小さくなる程顕著となる。この一因として、例えば、粒径が小さくなる程、単位体積あたりの表面積が大きくなることが考えられる。例えば、表面積が大きくなるほど、周囲の空気などの外部と、次亜塩素酸含有水の粒と、の接触が増加する。このため、洗い場床に付着した次亜塩素酸含有水が粒状のままである場合、次亜塩素酸が洗い場床の菌に十分に作用する前に、濃度が減衰してしまい、十分な除菌効果が得られない場合がある。
【００８３】
これに対して、実施形態においては、第１工程は、洗い場床上の次亜塩素酸含有水の水滴が第２工程における水滴よりも大きくなるまで、洗い場床上に次亜塩素酸含有水を吐出する。次亜塩素酸含有水の水滴を大きくすることによって、その水滴の単位体積当たりの表面積を小さくすることができる。このため、次亜塩素酸の濃度減衰を抑制することができる。このように、次亜塩素酸含有水をミスト状で吐水し、洗い場床に付着した水滴の表面積を小さくすることによって、滞留性を確保しつつ、次亜塩素酸の濃度減衰を抑制することができる。
【００８４】
また、殺菌性金属イオン含有水中の殺菌性金属イオンの濃度は、次亜塩素酸含有水の濃度に比べて減衰しにくい。このため、殺菌性金属イオン含有水については、その水滴を小さくすることで、高い濃度と高い滞留性とを維持することができる。以上により、少量の除菌水（次亜塩素酸含有水および殺菌性金属イオン含有水）で浴室の洗い場床を効率的に除菌することができる。
【００８５】
図１０（ａ）及び図１０（ｂ）は、次亜塩素酸含有水の吐水方法と除菌効果との関係を説明するグラフ図である。  
点線で示した「大きな粒を連続的に吐水」する方法、一点鎖線で示した「小さな粒を断続的に吐水」する方法、及び、実線で示した「小さな粒を連続的に吐水」する方法を比較している。実線で示した「小さな粒を連続的に吐水」する方法が、実施形態の吐水に相当する。なお、この比較においては、各吐水方法における洗浄領域は、互いに同じとしている。また、各吐水方法における単位面積当たりの総吐水量が互いに等しいとしている。
【００８６】
図１０（ａ）は、洗浄領域上に吐出された次亜塩素酸含有水中の次亜塩素酸濃度の時間的な変化を表す。図１０（ｂ）は、各吐水方法における、次亜塩素酸含有水の滞留性と、洗浄領域上に吐出された次亜塩素酸含有水中の次亜塩素酸濃度の減衰抑制度合いを表す。
【００８７】
「大きな粒を連続的に吐水」する方法では、ミスト状の粒よりも大きな次亜塩素酸含有水の粒を、連続的に洗浄領域に吐出する。大きな粒は、表面積が小さいため、次亜塩素酸の濃度が減衰しにくい。一方、滞留性が比較的低く、排水勾配を有する洗い場床に吐出された場合には短時間で排水されてしまう。例えば、図１０（ａ）に示すように、期間Ｐ１中に吐出された次亜塩素酸含有水は、時刻Ｔ１までに排水される。このため、菌への作用時間が短く、十分な除菌効果が得られない懸念がある。
【００８８】
「小さな粒を断続的に吐水」する方法では、ミスト状の次亜塩素酸含有水の粒を、数回に分けて断続的に吐水する。例えば、図１０（ａ）に示した期間Ｐ２１、Ｐ２２及びＰ２３において吐水が行われる。各期間の吐水は、洗浄領域に付着した次亜塩素酸含有水の粒が連結して適度な大きさになる前に終了する。ミスト状の粒の滞留性は高いが、体積当たりの表面積が大きいため次亜塩素酸の濃度減衰が顕著に生じる。このため、十分な除菌効果が得られない懸念がある。
【００８９】
「小さな粒を連続的に吐水」する方法では、ミスト状の次亜塩素酸含有水の粒を、連続的に吐水する。例えば、図１０（ａ）に示した期間Ｐ３において吐水が行われる。連続的に吐水することで、洗浄領域に付着した次亜塩素酸含有水の粒は、連結し、例えば時刻Ｔ４に排水される。この吐水方法では、比較的長い時間、次亜塩素酸含有水が排水されず、濃度の減衰が緩やかである。これにより、滞留性を確保しつつ、次亜塩素酸の濃度減衰を抑制することができる。
【００９０】
次に、図１１、図１２（ａ）〜図１２（ｃ）、図１３（ａ）〜図１３（ｃ）を参照して、実施形態による除菌水を用いた洗い場床の洗浄工程の具体例について説明する。
【００９１】
図１１は、実施形態に係る除菌水吐水装置の動作を例示するフローチャートである。  
図１１に示すように、制御部３０は、第１工程を実行し、その後、第２工程を実行する。但し、実施形態においては、第２工程の後に第１工程が実施されてもよい。
【００９２】
図１２（ａ）〜図１２（ｃ）は、第１工程における除菌水吐水装置の動作を例示する。
【００９３】
図１２（ａ）は、第１工程における、次亜塩素酸含有水の吐水のオン／オフのタイミングチャートである。オンの期間中にノズル（ノズル１１及びノズル１２）の吐水口から除菌水が吐出される。オフの期間中には、除菌水は吐出されない。
【００９４】
図１２（ｂ）は、ノズル（ノズル１１及びノズル１２）の移動のタイミングチャートである。ノズルの移動の停止（第１動作）と、ノズルの回転移動（第２動作）と、が交互に繰り返される。第１動作は、ノズルの動きを停止させた状態で次亜塩素酸含有水を吐出する。第２動作は、次亜塩素酸含有水が吐出される洗浄領域を変更するようにノズルを動かす。第２動作中においても吐水が継続されることが望ましい。これにより、除菌水の濃度が安定する。
【００９５】
図１２（ｃ）は、図１２（ｂ）に示した各時刻（(1)〜(15)）における、洗い場床５２０の状態を例示する模式的平面図である。この例では、洗い場床５２０を複数の領域（洗浄領域Ｒ１〜Ｒ５）に分けて洗浄を行っている。なお、実施形態において複数の洗浄領域の選び方（大きさや数など）は、任意である。各時刻（(1)〜(15)）における洗い場床５２０の模式的平面図において、ハッチングの濃度（色の濃さ）は、付着している次亜塩素酸含有水の量を表す。色が濃い領域ほど付着している次亜塩素酸含有水の量が多く、色が薄い領域ほど付着している次亜塩素酸含有水の量が少ない。
【００９６】
例えば、制御部３０は、動作を開始すると、ノズルの位置を所定の位置（初期位置）に動かして、期間Ｓ１において、一部の洗浄領域（例えば洗浄領域Ｒ１）に対して第１動作を実行する（図１１に示すステップＳ１０１）。洗浄領域Ｒ１に付着した次亜塩素酸含有水の粒が連結するまで第１動作が継続される。
【００９７】
その後、第２動作が実行されて、次亜塩素酸含有水が吐出される領域が洗浄領域Ｒ１から洗浄領域Ｒ２へ変更される（図１１に示すステップＳ１０２）。  
続いて、期間Ｓ２中に第１動作によって洗浄領域Ｒ２に次亜塩素酸含有水が吐出される（図１１に示すステップＳ１０３）。洗浄領域Ｒ１に付着した次亜塩素酸含有水の粒が連結するまで第１動作が継続される。その後、第２動作が実行されて、次亜塩素酸含有水が吐出される領域が洗浄領域Ｒ２から洗浄領域Ｒ３へ変更される。
【００９８】
洗い場床の全体に次亜塩素酸含有水が吐出されていない場合には（図１１に示すステップＳ１０４：Ｎ）、上記と同様にして、第１動作及び第２動作が繰り返され、洗浄領域Ｒ３、Ｒ４、Ｒ５に順次、次亜塩素酸含有水が吐出される。以上のようにして、洗い場床５２０の全体に次亜塩素酸含有水が吐出されると（ステップＳ１０４：Ｙ）、第１工程が終了し、第２工程が実行される。
【００９９】
図１３（ａ）〜図１３（ｃ）は、第２工程における除菌水吐水装置の動作を例示する。  図１３（ａ）は、第２工程における、次亜塩素酸含有水の吐水のオン／オフのタイミングチャートである。  
図１３（ｂ）は、ノズル（ノズル１１及びノズル１２）の移動のタイミングチャートである。ノズルの動きを停止させた状態で殺菌性金属イオン含有水を吐出する第３動作と、殺菌性金属イオン含有水が吐出される洗浄領域を変更するようにノズルを動かす第４動作と、が交互に繰り返される。第４動作中においても吐水が継続されることが望ましい。これにより、除菌水の濃度が安定する。
【０１００】
図１３（ｃ）は、図１３（ｂ）に示した各時刻（(1)〜(5)）における、洗い場床５２０の状態を例示する模式的平面図である。この例では、第２工程においても第１工程と同様に、洗浄領域Ｒ１〜Ｒ５を洗浄する。また、図１２（ｃ）と同様に、ハッチングの濃度（色の濃さ）によって殺菌性金属イオン含有水の量が表されている。
【０１０１】
例えば、制御部３０は、期間Ｓ６において、一部の洗浄領域（例えば洗浄領域Ｒ１）に対して第３動作を実行する（図１１に示すステップＳ１０５）。洗浄領域Ｒ１に付着した殺菌性金属イオン含有水の粒が連結して大きくならないうちに、この第３動作は終了する。例えば、期間Ｓ６は、図１２（ｃ）に関して説明した期間Ｓ１よりも短い。
【０１０２】
その後、第４動作が実行され、殺菌性金属イオン含有水が吐出される領域が洗浄領域Ｒ１から洗浄領域Ｒ２へ変更される（図１１に示すステップＳ１０６）。  
続いて、期間Ｓ７中に第３動作によって洗浄領域Ｒ２に殺菌性金属イオン含有水が吐出される（図１１に示すステップＳ１０７）。洗浄領域Ｒ２に付着した殺菌性金属イオン含有水の粒が連結して大きくならないうちに、この第３動作は終了する。例えば、期間Ｓ７は、図１２（ｃ）に関して説明した期間Ｓ２よりも短い。その後、第４動作が実行されて、殺菌性金属イオン含有水が吐出される領域が洗浄領域Ｒ２から洗浄領域Ｒ３へ変更される。
【０１０３】
洗い場床の全体に殺菌性金属イオン含有水が吐出されていない場合には（図１１に示すステップＳ１０８：Ｎ）、上記と同様にして、第３動作及び第４動作が繰り返され、洗浄領域Ｒ３、Ｒ４、Ｒ５に順次、殺菌性金属イオン含有水が吐出される。以上のようにして、洗い場床５２０の全体に殺菌性金属イオン含有水が吐出されると（ステップＳ１０８：Ｙ）、第２工程が終了する。例えば、１回の第２工程に要する時間は、１回の第１工程に要する時間よりも短い。
【０１０４】
さらに上記の第２工程が、所定の回数（この例では２回）繰り返される。第２工程が所定の回数実行されていない場合には（ステップＳ１０９：Ｎ）、所定時間の経過後に（ステップＳ１１０：Ｙ）、第２工程が再び実行される。そして、第２工程が所定の回数実行されると（ステップＳ１０９：Ｙ）処理が終了する。
【０１０５】
ステップＳ１１０における所定時間は、例えば、最初に殺菌性金属イオン含有水が吐出された一部の洗浄領域（例えば洗浄領域Ｒ１）において、殺菌性金属イオン含有水が排水口へ排出される時間に基づいて定められる。洗浄領域Ｒ１において殺菌性金属イオン含有水が排水された後に、再びステップＳ１０５が開始される。
【０１０６】
以上説明したように、第２工程が実行される回数は、第１工程が実行される回数よりも多いことが望ましい。これにより、殺菌性金属イオン含有水が吐出される回数が多いため、殺菌性金属イオン含有水の総吐水量が少なくても、吐水ムラを抑制することができる。なお、第１工程を２回以上行ってもよく、第２工程を３回以上行ってもよい。
【０１０７】
また、例えば、第２工程を行う回数を多くすることによって、一度の第２工程で吐出する殺菌性金属イオン含有水の量を少なくする。これにより、殺菌性金属イオン含有水の粒が連結しにくくなり、殺菌性金属イオン含有水の水滴をより小さくすることができる。したがって、殺菌性金属イオン含有水の水滴の滞留性をさらに高めることができる。殺菌性金属イオン含有水では、次亜塩素酸含有水のような濃度減衰が生じにくいため、水滴が小さくても十分に菌に作用することが可能である。殺菌性金属イオン含有水を、滞留性が高い状態で間隔を空けて複数回作用させることにより、作用時間を長くすることができる。
【０１０８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室洗い場用除菌水吐水装置１００、除菌水吐水部１０、次亜塩素酸含有水生成部１２０、殺菌性金属イオン水生成部１３０、制御部３０などが備える各要素の形状、寸法、材質、配置などや浴室洗い場用除菌水吐水装置１００、除菌水吐水部１０、次亜塩素酸含有水生成部１２０、殺菌性金属イオン水生成部１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０９】
１０…除菌水吐水部、  １０ａ…回転軸、  １１…第１のノズル、  １２…第２のノズル、  １３…貯水部、  １５…粒、  １６…水滴、  １７…モータ、  ２１…陽極、  ２３…陰極、  ２５…粒、  ２６…水滴、  ３０…制御部、  ３５…操作部、  ５１…給水管、  ５２…給湯管、  ５３…止水栓、  ５４…電磁弁、  ５５…調圧弁、  ５６…逆止弁、  １００…浴室洗い場用除菌水吐水装置、  １２０…次亜塩素酸含有水生成部、  １２１…負圧破壊装置、  １３０…殺菌性金属イオン水生成部、  １３１、１３３…電極、  １５１…流路、  ２０１…基材、  ２０１ａ…表面、  ２０３…汚れ、  ２１０…菌、  ２１１…核、  ２１３…細胞質、  ２１５…細胞膜、  ５００…浴室、  ５１０…浴槽、  ５２０…洗い場床、  ５２０ａ〜５２０ｄ…縁部、  ５２１…排水口、  ５３０…カウンタ、  ５３１…天板、  ５３２…前カバー、  ５３３…下カバー、  ５４１〜５４４…第１〜第４の壁、  ５４５…天井、  ５５１…凸部、  ５５２…溝（凹部）、  Ａ、Ｂ…吐水方向、  Ｐ１、Ｐ２１〜Ｐ２３、Ｐ３…期間、  Ｒ…領域、  Ｒ１〜Ｒ５、ＲＢ…洗浄領域、  Ｓ１〜Ｓ１０…期間、  Ｔ１〜Ｔ４…時刻、  Ｗ１…流れ
【図１】
0006641625.tif 000002
【図２】
0006641625.tif 000003
【図３】
0006641625.tif 000004
【図４】
0006641625.tif 000005
【図５】
0006641625.tif 000006
【図６】
0006641625.tif 000007
【図７】
0006641625.tif 000008
【図８】
0006641625.tif 000009
【図９】
0006641625.tif 000010
【図１０】
0006641625.tif 000011
【図１１】
0006641625.tif 000012
【図１２】
0006641625.tif 000013
【図１３】
0006641625.tif 000014